(57)【要約】【課題】設置に際し、天井面に形成された埋込穴に挿入しやすく、施工性を向上できる埋込形照明装置を提供することを目的とする。【解決手段】本発明は、光源５を有する装置本体２と、この装置本体２に取付けられた固定部１１と、この固定部１１に長手方向と直交する上下方向に回動可能に連結されるとともに、電源回路３１が取付けられた取付部１２とを有する取付部材１０を備え、前記固定部１１の連結端部１１ｂと前記取付部１２の連結端部１２ｂとが相互の回動中心を起点として、相互の間隔が上方へ向かうに従い大きくなるように形成されている電源ユニット３とを具備する埋込形照明装置１である。【選択図】図１
2011070859.tif 000002
【特許請求の範囲】
【請求項１】
光源を有する装置本体と；
この装置本体に取付けられた固定部と、この固定部に長手方向と直交する上下方向に回動可能に連結されるとともに、電源回路が取付けられた取付部とを有する取付部材を備え、前記固定部の連結端部と前記取付部の連結端部とが相互の回動中心を起点として、相互の間隔が上方へ向かうに従い大きくなるように形成されている電源ユニットと；
を具備することを特徴とする埋込形照明装置。
【発明の詳細な説明】
【技術分野】
【０００１】
本発明は、天井面等に埋め込んで使用する照明装置に関する。
【背景技術】
【０００２】
従来、例えば、天井面等に埋め込んで使用される照明装置においては、天井面に形成された埋込穴や天井裏のスペースの制約から装置の高さ寸法をできるだけ低くすることが望まれている。そのため、装置本体の側方に光源に電力を供給するための電源ユニットを並置し、これらを連結して装置を構成することが行われている。
【０００３】
また、施工性の向上のため、装置本体に電源ユニットを回動可能に取付けるようにした照明器具が提案されている（例えば、特許文献１参照）。
【先行技術文献】
【特許文献】
【０００４】
【特許文献１】特開平５−２８８１８号公報
【発明の概要】
【発明が解決しようとする課題】
【０００５】
しかしながら、近時の照明装置の大光量出力による大形化、また、これに伴う電源ユニットの大形化の傾向から、特に、大形化してくる照明装置の設置、施工性の一層の向上が期待されている。
【０００６】
特許文献１には、装置本体に電源ユニットを回動可能に連結する技術的開示はあるが、一歩進めて、天井面に形成された埋込穴や天井裏のスペースの制約がある中、大形化してくる照明装置の設置、施工性の向上を図るための技術的手段が何ら開示されていない。
【０００７】
本発明は、上記課題に鑑みなされたもので、設置に際し、埋込穴に挿入しやすく、施工性を向上できる埋込形照明装置を提供することを目的とする。
【課題を解決するための手段】
【０００８】
請求項１に記載の埋込形照明装置は、光源を有する装置本体と；この装置本体に取付けられた固定部と、この固定部に長手方向と直交する上下方向に回動可能に連結されるとともに、電源回路が取付けられた取付部とを有する取付部材を備え、前記固定部の連結端部と前記取付部の連結端部とが相互の回動中心を起点として、相互の間隔が上方へ向かうに従い大きくなるように形成されている電源ユニットと；を具備することを特徴とする。
【０００９】
本発明及び以下の発明において、特に指定しない限り用語の技術的意味及び解釈は次による。埋込形照明装置は、天井面や壁面に埋め込まれて設置される例えば、ダウンライトや非常灯などの照明装置である。光源としては、ＬＥＤ、白熱電球、蛍光ランプ、高輝度放電ランプ等の適用が可能であり、光源の種類は格別限定されるものではない。
【００１０】
「長手方向と直交する上下方向」とは、装置本体が埋め込まれる埋込面に対して直交する方向をいう。また、装置本体の光の出射側を下方、光の出射側と反対方向の装置本体の背面側を上方とする。「相互の間隔が上方へ向かうに従い大きくなるように形成されている」とは、例えば、Ｖ字状やＵ字状に形成されていることをいうが、特定の形状に限定的に解釈されるものではない。
【発明の効果】
【００１１】
請求項１に記載の発明によれば、設置にあたって、埋込穴に干渉することを回避でき、施工性を向上できる埋込形照明装置を提供することができる。
【図面の簡単な説明】
【００１２】
【図１】本発明の実施形態に係る埋込形照明装置を示す側面図である。
【図２】同装置本体を示す斜視図である。
【図３】同電源ユニットを示す上面図である。
【図４】同電源ユニットを示す斜視図である。
【図５】天井面を示す断面図である。
【図６】本発明の実施形態に係る埋込形照明装置を天井面に設置する過程（第１段階）を示す側面図である。
【図７】同埋込形照明装置を天井面に設置する過程（第２段階）を示す側面図である。
【図８】同じく埋込形照明装置を天井面に設置する過程（第３段階）を示す側面図である。
【図９】同じく埋込形照明装置を天井面に設置する過程（第４段階）を示す側面図である。
【図１０】同じく埋込形照明装置を天井面に設置する過程（第５段階）を示す側面図である。
【図１１】同じく埋込形照明装置を天井面に設置する過程（第６段階）を示す側面図である。
【図１２】同じく埋込形照明装置の天井面への設置が完了した状態を示す側面図である。
【発明を実施するための形態】
【００１３】
以下、本発明の実施形態に係る埋込形照明装置について図１乃至図９を参照して説明する。なお、各図において、同一部分には同一符号を付し重複した説明は省略する。図１乃至図５は、照明装置として天井埋込形のダウンライト１を示している。ダウンライト１は、ほぼ筒状の装置本体２と、この装置本体２に連結された電源ユニット３とから構成されている。
【００１４】
図１及び図２に示すように、装置本体２は、この本体２に取付けられた化粧枠４と、本体２の内側に取付けられ、光源である発光素子としてのＬＥＤ５が実装された基板６と、反射体７及び反射体７の前方に配設された透光性のカバー８とを備えている。また、本体２の上部には、図示しない受電コネクタが配置されており、本体２の下部には、一対の取付け用板ばね９が装着されている。
【００１５】
本体２は、導電性に優れた材料、例えばアルミニウム合金製のダイカストで形成されている。本体２の外面は、白色のメラミン樹脂系塗料によって焼付塗装されている。なお、熱伝導性を保証できれば、本体２は、他の材料で形成してもよい。本体２には、鉛直方向に延びる複数の放熱フィン２ａが形成されている。
【００１６】
化粧枠４は、ＡＢＳ樹脂でほぼ傘状に形成され、ＬＥＤ５から出射される光を配光制御する機能を有する。例えば、グレアを抑制する機能を有する。末広がり状の開口端部には、環状のフランジ４ａが形成され、他端部側は、本体２に取付けられている。なお、化粧枠４は、金属材料によって形成してもよく、この場合は、基板６と熱的に結合する構成とするのが好適である。さらに、化粧枠４の内面側は、白色のメラミン樹脂系塗料によって焼付塗装するのが好ましい。
【００１７】
基板６の表面側には、光源となるＬＥＤ５が表面実装方式で複数個実装されている。基板６は、ガラスエポキシ樹脂のほぼ円形の平板からなり、本体２と熱的に結合されるようになっている。なお、基板６の材料は、絶縁材とする場合には、放熱特性が比較的良好で、耐久性に優れたセラミック材料又は合成樹脂材料を適用できる。また、金属製とする場合は、アルミニウム等の熱伝導性が良好で放熱性に優れた材料を適用するのが好ましい。
【００１８】
続いて、基板６の表面側には、白色のポリカーボネートやＡＳＡ樹脂等によって形成された反射体７が配設されている。反射体７は、ＬＥＤ５から放射される光をＬＥＤ５ごとに個別に配光制御し、効率的に照射する機能を有する。本体２の上部に配置された受電コネクタは、基板６に設けられた端子を介してＬＥＤ５と電気的に接続されている。
【００１９】
次に、図１、図３及び図４に示すように、電源ユニット３は、電源回路３１、電源端子台３２及びアーム状の取付部材１０を備えている。電源ユニット３は、本体２の光源に電力を供給し、その点灯回路によって光源を点灯制御するもので、商用電源を受けて所定の直流電圧を出力する直流電源の機能を有している。
【００２０】
取付部材１０は、前記装置本体２へ取付けられる固定部１１と、この固定部１１にヒンジ１３を介して連結された取付部１２とから構成されている。固定部１１は、上面がほぼ四角形状に形成され、一端側の両側から連結アーム１１ａが延出されている。この連結アーム１１ａは、下方に向かって傾斜しており、先端部には、ヒンジ１３を構成する回転軸１３ａが挿通する貫通孔が形成されている。
【００２１】
取付部１２は、上面がほぼ長方形状に形成された電源回路取付部１２ａを有し、一端側には、固定部１１の連結アーム１１ａと対向して、下方に向かった傾斜面１２ｂが形成されている。この傾斜面１２ｂの先端部の両側には、傾斜面１２ｂと直交する方向に連結片１２ｃが形成されている。前記と同様に、この連結片１２ｃには、ヒンジ１３を構成する回転軸１３ａが挿通する貫通孔が形成されている。したがって、固定部１１と取付部１２とは、連結アーム１１ａ及び連結片１２ｃの双方の貫通孔を貫通する回転軸１３ａによって回動可能に連結されている。
【００２２】
また、電源回路取付部１２ａの他端側は、一段下がった階段状をなして端子台取付部１２ｄが形成されている。さらに、端子台取付部１２ｄの後端側には支持脚１２ｅが設けられている。支持脚１２ｅは、天井面Ｃの裏面に当接して取付部材１０を支えるようになっている。
【００２３】
取付部１２の下面側には、電源回路基板を含む電源回路３１がケースに収容されて取付けられている。電源回路基板には、制御用ＩＣ、トランス、コンデンサ等の電気部品が実装されている。電源回路基板は、ＬＥＤ５が実装された基板６に電気的に接続されており、電源回路基板の電源回路３１によってＬＥＤ５は点灯制御される。また、端子台取付部１２ｄ下面側には、商用電源に接続され電源回路３１に給電する電源端子台３２が取付けられている。取付部材１０の固定部１１は、前記装置本体２の上部にねじ等の固定手段によって取付けられている。
【００２４】
このように構成された電源ユニット３は、固定部１１と取付部１２とがヒンジ１３によって連結さているので、回転軸１３ａを中心として長手方向と直交する方向に回動可能である。この場合、図１に代表して示すように、固定部１１の連結アーム１１ａと取付部１２の傾斜面１２ｂとによりＶ字状の溝１４が形成されている。詳しくは、固定部１１及び取付部１２の連結端部、すなわち、連結アーム１１ａにおける取付部１２側の端部１１ｂと、取付部１２の傾斜面１２ｂとによりＶ字状の溝１４が形成されている。換言すれば、固定部１１及び取付部１２の相互の連結端部は、ヒンジ１３による回動中心を起点とした場合、上方に向かうに従いその相互の間隔が大きくなるように構成されている。
【００２５】
以上のように構成されたダウンライト１の動作を説明する。電源ユニット３に商用電源から通電されると、点灯回路が動作して基板６に電力が供給され、光源としてのＬＥＤ５が発光する。各ＬＥＤ５から出射された光の多くは直接透光性カバー８を透過して前方に照射され、一部の光は反射体７の各反射面に反射されて配光制御され透光性カバー８を透過して前方に照射される。一方、これに伴いＬＥＤ５から発生する熱は、主として基板６から本体２へ伝わり、さらに、外周の本体２の全体、放熱フィン２ａへ伝導され、その伝導過程での放熱を伴いながら放熱される。
【００２６】
次に、ダウンライト１の設置方法について図５乃至図１２を参照して説明する。背景には、埋込穴Ｈや天井裏のスペースの寸法の制約がある中、近時の照明装置の大光量による大形化、また、これに伴う電源ユニットの大形化の傾向から設置、施工性の向上が望まれている状況がある。
【００２７】
まず、設置方法の概要を説明する。天井面Ｃ裏に配線されている電源線を天井面Ｃに形成された埋込穴Ｈから引き出し、電源ユニット３の電源端子台３２に接続する。電源ユニット３を埋込穴Ｈから挿入し、天井面Ｃ裏のスペースに挿入していく。
【００２８】
同時に、本体２の一対の取付け用板ばね９を両手で弾性力に抗して押し窄めるように操作して、本体２を支えながら埋込穴Ｈから挿入する。本体２が埋込穴Ｈに挿入されるに伴い、手を離し本体２を押し上げる。これにより、取付け用板ばね９が外側方向に復帰して天井面Ｃ裏面に当接し、この弾性力によって本体２が上方に引き上げられて、化粧枠４のフランジ４ａが埋込穴Ｈの周縁に圧接され、ダウンライト１が天井面Ｃに設置される。
【００２９】
次に、本発明者は、本実施形態のダウンライト１について設置テストを実施した。図５に示すように、天井面Ｃに開けられた埋込穴Ｈの直径を例えば、φ１５０±２ｍｍとする。したがって、最小のφ１４８ｍｍを想定し、また、天井面の厚さ寸法ｔを２５ｍｍ、天井裏のスペースＳを５５ｍｍと想定した。また、図１２に示すように、装置本体２の高さ寸法ｈ（天井面Ｃの表面からの高さ寸法）を７９ｍｍ、回転軸１３ａから取付部１２末端までの長さ寸法Ｌを２００ｍｍと想定した。なお、説明上、取付け用板ばね９の動作は省略する。
【００３０】
図６（第１段階）に示すように、電源ユニット３をヒンジ１３を中心として内側に回動し、電源ユニット３の後端側から埋込穴Ｈに挿入する。図７（第２段階）に示すように、装置を押し上げると、電源ユニット３の下端と埋込穴Ｈの上側の周縁が当接するとともに、連結アーム１１ａの端部１１ｂと埋込穴Ｈの下側の周縁が当接する。このとき、天井裏のスペースＳを想定する点線Ｔと電源ユニット３の後端とのとの間には隙間が形成されている。次に、図８（第３段階）に示すように、電源ユニット３が天井裏のスペースに配置されるように押し進める。すると、電源ユニット３の下端側が埋込穴Ｈの縁に当接しながら後端が天井裏に衝突する。このとき、連結アーム１１ａの端部１１ｂと埋込穴Ｈの周縁とは当接せずに、隙間が形成される。
【００３１】
次いで、図９（第４段階）に示すように、連結アーム１１ａの端部１１ｂと埋込穴Ｈの周縁との間に形成された隙間を利用して、本体２をヒンジ１３を中心として、回動しながらヒンジ３及び本体２を上方へ押し上げる。ここで、電源ユニット３の下端の支持脚１２ｅは天井面Ｃの裏側に載置されるとともに、再び電源ユニット３と天井裏のスペースＳを想定する点線Ｔとの間に隙間が形成される。さらに、図１０（第５段階）、図１１（第６段階）に示すように、本体２をヒンジ１３を中心として、外側に回動しながら電源ユニット３を天井裏のスペースに押し進める。支持脚１２ｅが天井面Ｃ裏に当接した状態で、本体２を押し上げることにより、図１２に示すように、設置が完了する。
【００３２】
以上の設置テストの結果から、例えば、ダウンライト１が埋込穴Ｈの縁に干渉して、つまり、引っ掛かったり、ぶつかったりして、設置が困難になる等の問題が生じないことが確認できた。これは、上述のように、連結アーム１１ａの端部１１ｂと、取付部１２の傾斜面１２とによりＶ字状の溝１４が形成されていることに起因している。特に、図７に示すような過程において、端部１１ｂと傾斜面１２ｂとが直線状Ａになり、突出部が形成されないため、固定部１１が埋込穴Ｈの縁に干渉することを回避できるものである。
【００３３】
以上のように本実施形態によれば、ダウンライト１の天井面Ｃへの設置にあたって、天井面Ｃに形成された埋込穴Ｈに挿入しやすく、設置過程で、例えば、電源ユニット３が埋込穴Ｈの縁に干渉することを回避でき、施工性を向上できるダウンライト１を提供することができる。
【符号の説明】
【００３４】
１・・・埋込形照明装置（ダウンライト）、２・・・装置本体、
３・・・電源ユニット、５・・・光源（ＬＥＤ）、１０・・・取付部材、
１１・・・固定部、１１ａ・・・連結アーム、１１ｂ・・・固定部の連結端部、
１２・・・取付部、１２ａ・・・電源回路取付部、１２ｂ・・・取付部の連結端部、
１３・・・ヒンジ、１４・・・Ｖ字状の溝、３１・・・電源回路
【図１】
2011070859.tif 000003
【図２】
2011070859.tif 000004
【図３】
2011070859.tif 000005
【図４】
2011070859.tif 000006
【図５】
2011070859.tif 000007
【図６】
2011070859.tif 000008
【図７】
2011070859.tif 000009
【図８】
2011070859.tif 000010
【図９】
2011070859.tif 000011
【図１０】
2011070859.tif 000012
【図１１】
2011070859.tif 000013
【図１２】
2011070859.tif 000014